(57)【要約】【課題】個包装体とそこに内包された吸収性物品との関連付けを容易に行うことができ、個包装体に内包された吸収性物品の吸収性能を容易に認識することができる吸収性物品の個包装体を提供する。【解決手段】吸収性物品１１が包装シート２２で包装された吸収性物品の個包装体２１であって、吸収性物品１１は、包装シート２２の内側面に重ねられて、包装シート２２とともに折り畳まれており、吸収性物品１１は、外側面に、吸収性物品１１の吸収容量の区分に応じて異なる色で表示された本体表示部２０が設けられ、包装シート２２は着色部２２Ａと非着色部２２Ｂを有し、非着色部２２Ｂは透明または半透明に形成され、本体表示部２０は、個包装体２１の外側から、包装シート２２の非着色部２２Ｂを通して視認可能である。【選択図】図４
2020074928.tif 000002
【特許請求の範囲】
【請求項１】
吸収性物品が包装シートで包装された吸収性物品の個包装体であって、
前記吸収性物品は、前記包装シートの内側面に重ねられて、前記包装シートとともに折り畳まれており、
前記吸収性物品は、外側面に、前記吸収性物品の吸収容量の区分に応じて異なる色で表示された本体表示部が設けられ、
前記包装シートは着色部と非着色部を有し、前記非着色部は透明または半透明に形成され、
前記本体表示部は、個包装体の外側から、前記包装シートの前記非着色部を通して視認可能であることを特徴とする吸収性物品の個包装体。
【請求項２】
前記非着色部は、個包装体の外面の１％以上５０％以下の面積で設けられている請求項１に記載の吸収性物品の個包装体。
【請求項３】
前記本体表示部は、前記吸収性物品の吸収容量の区分に応じて異なる色で表示されるとともに、前記吸収性物品の吸収容量の区分に関わらず共通した図柄を有する請求項１または２に記載の吸収性物品の個包装体。
【請求項４】
前記吸収性物品の外側面に、前記包装シートの内側面に剥離可能に接合された粘着部が設けられ、
前記粘着部が前記本体表示部を形成している請求項１〜３のいずれか一項に記載の吸収性物品の個包装体。
【請求項５】
前記本体表示部は、前記包装シートの前記着色部と色相角度が３０°以上異なる色で表示されている請求項１〜４のいずれか一項に記載の吸収性物品の個包装体。
【請求項６】
前記本体表示部の色は、前記包装シートの前記着色部の色よりも高い彩度である請求項１〜５のいずれか一項に記載の吸収性物品の個包装体。
【請求項７】
吸収性物品が包装シートで包装された吸収性物品の個包装体であって、
前記吸収性物品は、前記包装シートの内側面に重ねられて、前記包装シートとともに折り畳まれており、
前記吸収性物品は、外側面に、前記吸収性物品の吸収容量の区分を表す文字を含む本体表示部が設けられ、
前記包装シートは着色部と非着色部を有し、前記非着色部は透明または半透明に形成され、
前記本体表示部は、個包装体の外側から、前記包装シートの前記非着色部を通して視認可能であることを特徴とする吸収性物品の個包装体。
【請求項８】
請求項１〜７のいずれか一項に記載の吸収性物品の個包装体が容器内に収容された吸収性物品包装体であって、
前記容器に、前記吸収性物品の吸収容量の区分を表す容器表示部が設けられていることを特徴とする吸収性物品包装体。
【請求項９】
請求項１〜６のいずれか一項に記載の吸収性物品の個包装体が容器内に収容された吸収性物品包装体であって、
前記容器に、前記吸収性物品の吸収容量の区分を表す容器表示部が設けられており、
前記容器表示部と前記本体表示部とが同じ色で表示されていることを特徴とする吸収性物品包装体。
【請求項１０】
前記容器表示部は、所定領域を有する背景部に前記吸収性物品の吸収容量の区分を表す文字または記号が表示されており、
前記容器表示部の前記背景部と前記本体表示部とが同じ色で表示されている請求項９に記載の吸収性物品包装体。
【請求項１１】
請求項８〜１０のいずれか一項に記載の吸収性物品包装体を複数種有する吸収性物品包装体セットであって、
２種以上の異なる吸収容量の前記吸収性物品包装体を含むことを特徴とする吸収性物品包装体セット。
【発明の詳細な説明】
【技術分野】
【０００１】
本発明は、尿パッド（軽失禁パッドを含む）や生理用ナプキン等の吸収性物品が包装シートで包装された吸収性物品の個包装体と当該個包装体が容器内に収容された吸収性物品包装体に関するものである。
【背景技術】
【０００２】
従来、吸収性物品が包装シートで包装された個包装体や、当該個包装体が容器内に収容された吸収性物品包装体が知られている。吸収性物品の個包装体は容器から取り出して携行することができるが、容器から取り出した吸収性物品またはその個包装体は、それがどのような吸収性能を有するものであるか分からなくなる場合がある。容器から取り出した吸収性物品やその個包装体の関連付けを容易にするための工夫として、特許文献１には、吸収性物品が包装シートによって個別に収容され、吸収性物品には、該吸収性物品の吸収性能に対応付けられた表示要素を有する性能表示部が形成されており、前記表示要素は絵柄及び／又は記号であって、該表示要素の内容及び数によって該吸収性物品の吸収性能を示すように構成されており、性能表示部が包装シートを介して該包装シートの外側から透視可能である吸収性物品の個包装体や、当該個包装体が複数包装袋部に収容された吸収性物品の包装体であって、包装袋部の外面に、前記性能表示部に対応付けられた包装性能表示部が形成されている吸収性物品の包装体が開示されている。
【先行技術文献】
【特許文献】
【０００３】
【特許文献１】特開２０１２−１１６４９３号公報
【発明の概要】
【発明が解決しようとする課題】
【０００４】
特許文献１の吸収性物品の個包装体やその包装体によれば、包装シートに個別に収容された吸収性物品に設けられた絵柄および／または記号からなる表示要素を有する性能表示部と、包装袋部の外面に設けられた前記性能表示部に対応する包装性能表示部とを関連付けることにより、包装シートに個別に収容された吸収性物品の吸収性能を認識することができる。このように、個包装体とそこに内包された吸収性物品との関連付けができると、使用者は所望する吸収性物品を適切に選択することができる。
【０００５】
本発明は前記事情に鑑みてなされたものであり、その目的は、吸収性物品が包装シートで包装された吸収性物品の個包装体であって、個包装体とそこに内包された吸収性物品との関連付けを容易に行うことができ、個包装体に内包された吸収性物品の吸収性能を容易に認識することができる吸収性物品の個包装体を提供することにある。本発明はまた、当該個包装体が容器内に収容された吸収性物品包装体であって、使用者が個包装体を容器から出した場合でも、容易にその吸収性物品の吸収性能を認識することができる吸収性物品包装体も提供する。
【課題を解決するための手段】
【０００６】
前記課題を解決することができた本発明の吸収性物品の個包装体とは、吸収性物品が包装シートで包装されたものであって、吸収性物品は、包装シートの内側面に重ねられて、包装シートとともに折り畳まれており、吸収性物品は、外側面に、吸収性物品の吸収容量の区分に応じて異なる色で表示された本体表示部が設けられ、包装シートは着色部と非着色部を有し、非着色部は透明または半透明に形成され、本体表示部は、個包装体の外側から、包装シートの非着色部を通じて視認可能であるところに特徴を有する。
【０００７】
本発明の吸収性物品の個包装体は、上記のように構成されているため、個包装体とそこに内包された吸収性物品との関連付けを容易に行うことができるとともに、吸収性物品の外側面に設けられた本体表示部を直接または包装シートを通して視認することにより、吸収性物品の吸収容量の区分を認識することができる。また、本体表示部の色によって吸収性物品の吸収容量の区分を表示していると、細かい文字や記号を識別することが困難な使用者であっても、個包装体に内包された吸収性物品の吸収性能を容易に認識することができる。一方、包装シートの着色部によって、個包装体に内包される吸収性物品の秘匿性を高めることができる。
【０００８】
非着色部は、個包装体の外面の１％以上５０％以下の面積で設けられていることが好ましい。このように包装シートに非着色部を設けることにより、包装シートの非着色部を通して吸収性物品の本体表示部を認識しやすくなるとともに、包装シートによって内包される吸収性物品の秘匿性を高めることができる。
【０００９】
本体表示部は、吸収性物品の吸収容量の区分に応じて異なる色で表示されるとともに、吸収性物品の吸収容量の区分に関わらず共通した図柄を有することが好ましい。このように本体表示部を形成することにより、本体表示部が使用者以外の人から見て目立たなくなるとともに、使用者以外の人が吸収性物品やその個包装体を見ても当該吸収性物品の吸収性能を認識しにくくなる。そのため、使用者のプライバシーを高めることができる。また、このように本体表示部を形成することにより、様々な吸収容量を有するシリーズとして、吸収性物品とその個包装体の統一感を出すことができる。
【００１０】
吸収性物品の外側面に、包装シートの内側面に剥離可能に接合された粘着部が設けられ、粘着部が本体表示部を形成していてもよい。このように本体表示部を形成しても、使用者以外の人が吸収性物品やその個包装体を見て当該吸収性物品の吸収性能を認識しにくくなり、使用者のプライバシーを高めることができる。
【００１１】
本体表示部は、包装シートの着色部と色相角度が３０°以上異なる色で表示されていることが好ましい。これにより、個包装体を外側から見て本体表示部がより目立つようになる。同様の観点から、本体表示部の色は、包装シートの着色部の色よりも高い彩度であることも好ましい。
【００１２】
本発明の吸収性物品の個包装体は、吸収性物品が包装シートで包装されたものであって、吸収性物品は、包装シートの内側面に重ねられて、包装シートとともに折り畳まれており、吸収性物品は、外側面に、吸収性物品の吸収容量の区分を表す文字を含む本体表示部が設けられ、包装シートは着色部と非着色部を有し、非着色部は透明または半透明に形成され、本体表示部は、個包装体の外側から、包装シートの非着色部を通して視認可能であるものであってもよい。このように構成された吸収性物品個包装体であっても、個包装体とそこに内包された吸収性物品との関連付けを容易に行うことができるとともに、吸収性物品の外側面に設けられた本体表示部を直接または包装シートを通して視認することにより、吸収性物品の吸収容量の区分を認識することができる。
【００１３】
本発明はまた、上記の吸収性物品の個包装体が容器内に収容された吸収性物品包装体であって、容器に、吸収性物品の吸収容量の区分を表す容器表示部が設けられている吸収性物品包装体も提供する。
【００１４】
吸収性物品包装体に収容される吸収性物品としては、本体表示部が、吸収性物品の吸収容量の区分に応じて異なる色で表示されたものが好ましく、この場合、容器表示部と本体表示部とが同じ色で表示されていることが好ましい。このように構成された吸収性物品包装体は、使用者が吸収性物品の個包装体を容器から出した場合でも、個包装体の本体表示部の色を容器表示部の色と照合することで、個包装体に内包された吸収性物品の吸収容量の区分を認識することができる。また、異なる吸収性能を有する個包装体を複数携行するような場合でも、本体表示部の色によって、各個包装体に内包された吸収性物品の吸収容量の区分を認識することができる。そして、色によって吸収性物品の吸収容量の区分を表示しているため、細かい文字や記号を識別することが困難な使用者であっても、個包装体に内包された吸収性物品の吸収性能を容易に認識することができる。
【００１５】
容器表示部は、所定領域を有する背景部に吸収性物品の吸収容量の区分を表す文字または記号が表示されており、容器表示部の背景部と本体表示部とが同じ色で表示されていることが好ましい。背景部は文字や記号よりも広い面積で表示することができるため、背景部が本体表示部と同じ色で表示されていれば、容器表示部と本体表示部の色との関連性をより認識しやすくなる。
【００１６】
本発明はまた、上記の吸収性物品包装体を複数種有する吸収性物品包装体セットであって、２種以上の異なる吸収容量の吸収性物品包装体を含むことを特徴とする吸収性物品包装体セットも提供する。本発明の吸収性物品包装体セットによれば、吸収性物品包装体の容器から個包装体を取り出しても、吸収性物品包装体の容器表示部と個包装体の本体表示部とを関連付けることにより、個包装体に内包された吸収性物品の吸収容量に関する情報を得ることができる。そのため、吸収容量の異なる２種以上の吸収性物品の個包装体が混在していても、使用者は容易に適切な個包装体を選ぶことができる。
【発明の効果】
【００１７】
本発明の吸収性物品の個包装体によれば、個包装体とそこに内包された吸収性物品との関連付けを容易に行うことができるとともに、吸収性物品の外側面に設けられた本体表示部を直接または包装シートを通して視認することにより、吸収性物品の吸収容量の区分を認識することができる。また、本発明の吸収性物品包装体によれば、使用者が吸収性物品の個包装体を容器から出した場合でも、個包装体の外側から吸収性物品の本体表示部を確認することで、個包装体に内包された吸収性物品の吸収容量の区分を認識することができる。
【図面の簡単な説明】
【００１８】
【図１】吸収性物品包装体に用いられる吸収性物品の一例を表し、吸収性物品を肌面側から見た平面図を表す。
【図２】図１に示した吸収性物品を非肌面側から見た平面図を表す。
【図３】図１および図２に示した吸収性物品のＩＩＩ−ＩＩＩ断面図を表す。
【図４】図４（ａ），（ｂ）は吸収性物品の個包装体の形成方法の一例を表し、図４（ｂ）は吸収性物品の個包装体の平面図を表す。
【図５】吸収性物品の個包装体の平面図の他の例を表す。
【図６】吸収性物品の個包装体の平面図の他の例を表す。
【図７】吸収性物品包装体の斜視図を表す。
【図８】吸収性物品包装体の一部切欠き斜視図を表す。
【発明を実施するための形態】
【００１９】
本発明の吸収性物品の個包装体は吸収性物品が包装シートで包装されたものである。まず、本発明で用いられる吸収性物品について説明する。
【００２０】
本発明で用いられる吸収性物品は、着用者の股間に当てて用いるものであり、尿等の排泄物を受けることができるものであれば特に限定されない。吸収性物品の態様としては、尿パッド（軽失禁パッドを含む）、生理用ナプキン、使い捨ておむつ等が示される。なお、本発明で用いられる吸収性物品は包装シートに個別に包装されているものであり、このような吸収性物品としては、一般に、尿パッド、生理用ナプキン等が挙げられ、本発明の吸収性物品はこのような用途に好適に適用される。
【００２１】
吸収性物品の形状は特に限定されない。吸収性物品が、尿パッドや生理用ナプキンである場合、吸収性物品の形状としては、略長方形、長円形、砂時計形、羽子板形等が示される。
【００２２】
吸収性物品は、例えば、液透過性のトップシートと液不透過性のバックシートとの間に吸収体が配されて構成される。トップシートは、吸収性物品の肌面側に位置するシートであり、バックシートは、吸収性物品の非肌面側に位置するシートである。本発明において、肌面側とは、吸収性物品を着用する際に着用者の肌に向く側を意味し、非肌面側とは、着用者とは反対に向く側を意味する。また、吸収性物品の非肌面側の面を外側面と称する。
【００２３】
吸収性物品は、長手方向と幅方向を有する。長手方向とは、吸収性物品を着用者が着用した際、着用者の股間の前後方向に延びる方向を意味し、幅方向とは、吸収性物品と同一面上にあり、長手方向と直交する方向を意味する。なお、吸収性物品の個包装体と包装シートについても、吸収性物品の長手方向と幅方向に基づき、長手方向と幅方向が定められる。
【００２４】
トップシートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルムを用いてもよい。
【００２５】
バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。
【００２６】
トップシートやバックシートが不織布から構成される場合、不織布としては、スパンボンド不織布、エアスルー不織布、ポイントボンド不織布、メルトブロー不織布、エアレイド不織布、ＳＭＳ不織布等を用いることが好ましい。
【００２７】
吸収体は、尿等の排泄物を吸収できる吸収性材料を含むものであれば特に限定されない。吸収体としては、例えば、吸収性材料を所定形状に成形した成形体を用いることができる。吸収体は、紙シート（例えば、ティッシュペーパーや薄葉紙）や液透過性不織布等のシート部材で覆われてもよい。吸収体に含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００２８】
吸収性材料は、尿等の吸収速度を高める点から、親水性繊維を含むことが好ましい。また、吸収容量を高める点からは、吸収性材料は吸水性樹脂を含むことが好ましい。従って、吸収体は親水性繊維（特にパルプ繊維）と吸水性樹脂を含むことが好ましい。この場合、例えば、親水性繊維の集合体に吸水性樹脂を混合または散布したものを用いることが好ましい。
【００２９】
吸収体は、シート状吸収体であってもよい。シート状吸収体としては、不織布間に吸水性樹脂を有しパルプ繊維を有しないように形成されたものが挙げられる。このように形成されたシート状吸収体は不織布間に吸水性樹脂を有するため、高い吸収容量を実現できる。また、シート状吸収体は不織布間にパルプ繊維を有しないため、嵩張らず薄型に形成することができる。
【００３０】
シート状吸収体は、吸収性材料として吸水性繊維を用いたものであってよい。この場合もまた、吸収体が嵩張らず薄型に形成される。吸水性繊維としては、プロトン化または塩形成したカルボキシル基を含有する繊維が挙げられる。例えば、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【００３１】
吸収性物品は、肌面側の幅方向の両側に立ち上がりフラップが設けられることが好ましい。立ち上がりフラップを設けることにより、尿等の横漏れが防止される。立ち上がりフラップは、例えば、トップシートの幅方向の両側に、長手方向に延在するサイドシートを接合し、サイドシートの幅方向内方（立ち上がりフラップが立ち上がったときの上端近傍）に弾性部材を設けることにより形成される。このようにサイドシートと弾性部材とを設けることにより、弾性部材の収縮力によりサイドシートの幅方向内方が着用者の肌に向かって立ち上がり、立ち上がりフラップが形成される。立ち上がりフラップまたはサイドシートは、液不透過性のプラスチックフィルムや液不透過性の不織布等により構成されることが好ましい。
【００３２】
吸収性物品の外側面には粘着部が設けられることが好ましく、具体的には、バックシートに粘着部が設けられることが好ましい。粘着部を設けることにより、吸収性物品をパンツ等の肌面側に固定することができる。
【００３３】
粘着部は、吸収性物品を包装する包装シートの内側面に剥離可能に接合されていることが好ましく、これにより、吸収性物品が包装シートに包装された状態で安定して保持される。吸収性物品を使用する際には、包装シートを粘着部から剥がすことにより、粘着部によって吸収性物品をパンツ等の肌面側に固定することができる。吸収性物品はあるいは、包装シートの内側面に剥離シートを取り付けて、この剥離シートと粘着部とを剥離可能に接合させ、これを包装シートで包装するようにしてもよい。粘着部は、吸収性物品の外側面に粘着剤を塗布したり、粘着テープを貼り付けることにより形成することができる。
【００３４】
吸収性物品は包装シートに包装されて、吸収性物品の個包装体が形成される。包装シートは、吸収性物品を個別に（１つずつ）包装する。包装シートは１つのシート部材から形成されてもよく、２つ以上のシート部材を繋ぎ合わせて形成されてもよい。
【００３５】
包装シートは、例えば、プラスチックフィルム、紙、布（不織布、織布、編布等）、これらの任意の組み合わせによる積層体により構成することができる。なお、包装シートは透明または半透明に形成された非着色部を有し、このような非着色部を形成することが容易な点から、包装シートはプラスチックフィルムから構成されることが好ましい。包装シートのプラスチックフィルムは、例えば、ポリオレフィン（例えば、ポリプロピレン、ポリエチレン）、ポリエステル（例えば、ＰＥＴ）、ポリ塩化ビニル等から構成することができる。
【００３６】
包装シートは、吸収性物品側に向いた内側面とその反対側に向いた外側面とを有する。包装シートの内側面と外側面は、包装シートが吸収性物品を包装した状態を基準に定められる。包装シートの外側面の少なくとも一部は個包装体の外側に露出し、個包装体の外面を構成する。
【００３７】
個包装体は、吸収性物品を包装シートの内側面に重ねて、吸収性物品を包装シートとともに折り畳むことにより形成される。好ましくは、吸収性物品を包装シートの内側面に重ねて、幅方向に延びる折り目で折り返すことにより、吸収性物品が包装シートとともに折り畳まれる。吸収性物品は、包装シートの内側面に重ねられた状態で、吸収性物品と包装シートとが幅方向に延びる１、２または３個の折り目でともに折り返されて、長手方向に２、３または４つ折りされた吸収性物品の個包装体が形成されることが好ましく、これにより個包装体をコンパクトに形成することができる。
【００３８】
個包装体には、包装シートの一部と他部とを繋いで個包装体の包装状態を維持する封止テープが設けられることが好ましい。封止テープは、個包装体の外面に設けられ、包装シートの外側面の一部と他部とを繋ぐように設けられる。
【００３９】
封止テープは、例えば、包装シートの一部に固定され、包装シートの他部に剥離可能に貼着される。個包装体の包装状態を解除する場合は、封止テープを包装シートの前記他部から剥離することにより、包装シートの折り畳みを展開して、吸収性物品を取り出すことができる。封止テープが取り付けられる包装シートの前記一部としては、包装シートの長手方向の端部であることが好ましい。一方、封止テープが取り付けられる包装シートの前記他部としては、包装シートが折り畳まれた状態で前記端部と重ねられる部分の近傍であることが好ましい。この場合、包装シートの一部と他部は、包装シートが折り畳まれた状態で隣接して位置し、包装シートを展開した状態では互いに離れて位置することとなる。
【００４０】
ところで吸収性物品は、同一のブランドで様々な吸収容量を有するものがシリーズとして準備されることが多い。そのような吸収性物品は、互いに異なる吸収容量を有するものであっても、外見が類似するものとなる場合がある。そのため、吸収性物品単体で見た場合に、それがどのような吸収容量を有するものか分からなかったり、また個包装体とそこに内包される吸収性物品との関連付けが難しい場合がある。
【００４１】
そこで本発明では、吸収性物品の外側面に、吸収性物品の吸収容量の区分を表す本体表示部が設けられるとともに、当該本体表示部が、個包装体の外側から視認可能に形成されている。このように吸収性物品の個包装体が構成されることにより、個包装体とそこに内包された吸収性物品との関連付けを容易に行うことができるとともに、吸収性物品の外側面に設けられた本体表示部を直接または包装シートを通して視認することにより、吸収性物品の吸収容量の区分を認識することができる。特に、個包装体の状態でも包装シートを通して吸収性物品の本体表示部が視認可能となっているため、使用者が一見して、個包装体とそこに包装される吸収性物品との関連付けを行うことができる。
【００４２】
本体表示部としては、吸収性物品の吸収容量の区分を表す文字を含むもの、あるいは、吸収性物品の吸収容量の区分に応じて異なる色で表示されたものが挙げられる。なかでも、本体表示部は、吸収性物品の吸収容量の区分に応じて異なる色で表示されていることが好ましく、これにより、細かい文字や記号を識別することが困難な使用者であっても、個包装体に内包された吸収性物品の吸収性能、具体的には吸収容量の区分を容易に認識することができる。
【００４３】
吸収性物品の吸収容量の区分に応じて異なる色を表示する具体的な態様としては、吸収性物品の吸収容量の区分に応じて色相が異なる色を表示する態様、吸収性物品の吸収容量の区分に応じて明度が異なる色を表示する態様、吸収性物品の吸収容量の区分に応じて彩度が異なる色を表示する態様、これらを任意に組み合わせた態様が挙げられる。吸収性物品の吸収容量の区分に応じて色相が異なる色を表示させる場合は、例えば、大容量の場合に本体表示部を紫色で表示し、中容量の場合に青色で表示し、小容量の場合に緑色で表示したりすればよい。吸収性物品の吸収容量の区分に応じて明度が異なる色を表示させる場合は、例えば、同じ色相の色で明度のみを変化させることができる。具体的な例として、吸収容量が大容量から小容量になるに従い、本体表示部の色の明度を高くする態様等が挙げられる。吸収性物品の吸収容量の区分に応じて彩度が異なる色を表示させる場合は、例えば、同じ色相の色で彩度のみを変化させることができる。具体的な例として、吸収容量が大容量から小容量になるに従い、本体表示部の色の彩度を低くする態様等が挙げられる。
【００４４】
本体表示部は、吸収性物品の外側面に設けられる。本体表示部は、吸収性物品の外側面の少なくとも一部に設けられればよく、吸収性物品の外側面の全面に設けられてもよい。本体表示部は、吸収性物品の外側面から見て視認可能に設けられればよい。本体表示部は、吸収性物品の外側面を構成する部材に形成されることが好ましく、例えば、バックシートや、バックシートの外側面に設けられる粘着部に、本体表示部を設けることができる。本体表示部をバックシートに設ける場合、バックシートの外側面または内側面に印刷を施し、この印刷が施された部分を本体表示部とすることができる。あるいは、着色シートをバックシートに用い、バックシートの外側面の全体を本体表示部とすることもできる。この場合、バックシートが不織布とプラスチックフィルムとの積層体から構成される場合は、不織布とプラスチックフィルムのいずれを着色シートから構成してもよい。また、粘着部を着色して、粘着部を本体表示部とすることもできる。
【００４５】
本体表示部が吸収性物品の吸収容量の区分に応じて異なる色で表示される場合、本体表示部は、例えば、吸収性物品の吸収容量の区分を表す文字や記号を含んで構成されてもよい。すなわち、吸収性物品の外側面に、吸収性物品の吸収容量の区分を表す文字や記号を本体表示部として設け、当該文字や記号を吸収性物品の吸収容量の区分に応じて異なる色で表示してもよい。あるいは、本体表示部とともに、吸収性物品の吸収容量の区分を表す文字や記号を吸収性物品の外側面に設けることもできる。この場合は、吸収性物品の吸収容量の区分を表す文字や記号の色は特に限定されない。
【００４６】
吸収性物品の吸収容量の区分を表す文字または記号としては、吸収性物品の吸収容量の概算数値や当該数値を容量単位とともに表示したり、吸収性物品が収容可能な排尿回数として「２回分」、「４回分」等の文字を表示したり、吸収容量の区分に応じて異なる数の記号等を表示すればよい。吸収容量の区分に応じて異なる数の記号を表示する場合、例えば、吸収容量の区分に応じて滴形の記号の表示数を変えたり、塗りつぶした滴形の記号と輪郭だけの滴形の記号の２種類の滴形の記号を表示し、両滴形の記号の合計表示数を一定にしつつ、吸収容量の区分に応じて各滴形の記号の表示数を変えたりすることができる。もちろん、記号としては滴形の記号に限定されるものではない。なお、吸収性物品の吸収容量の区分を表す文字には数字が含まれる。
【００４７】
本体表示部が吸収性物品の吸収容量の区分に応じて異なる色で表示される場合、本体表示部は図柄として表示することもできる。図柄としては模様や図形等が示され、上記に説明した吸収容量の区分を表す文字または記号とは異なり、図柄の形状だけからはそれが吸収容量の区分を表すものとは判別できないものが好ましい。これにより、本体表示部が使用者以外の人から見て目立たなくなるとともに、使用者以外の人が吸収性物品やその個包装体を見ても当該吸収性物品の吸収性能を認識しにくくなる。そのため、例えば、その吸収性物品を使用するに至った使用者の体調の変化等の経緯が他人によって察知されにくくなり、使用者のプライバシーを高めることができる。
【００４８】
上記の観点から、本体表示部は、吸収性物品の吸収容量の区分に応じて異なる色で表示されるとともに、吸収性物品の吸収容量の区分に関わらず共通した図柄を有することが好ましい。また、このように本体表示部を形成することにより、様々な吸収容量を有するシリーズとして、吸収性物品とその個包装体の統一感を出すことができる。
【００４９】
本体表示部が吸収性物品の吸収容量の区分に応じて異なる色で表示される場合、本体表示部は、吸収性物品の外側面に設けられた粘着部から形成されてもよい。この場合も、使用者以外の人が吸収性物品やその個包装体を見て当該吸収性物品の吸収性能を認識しにくくなり、使用者のプライバシーを高めることができる。粘着部が本体表示部を形成する場合は、粘着部を形成する接着剤や粘着層に染料や顔料を含ませるようにすればよい。
【００５０】
本体表示部を図柄として表示する場合や本体表示部を粘着部から形成する場合は、吸収性物品の外側面には、吸収容量の区分を表す文字も記号も表示されないことが好ましい。これにより、使用者以外の人が吸収性物品やその個包装体を見て、当該吸収性物品の吸収性能を認識しにくくすることができる。
【００５１】
個包装体の包装シートは、着色部と非着色部を有し、非着色部が透明または半透明に形成され、本体表示部は、個包装体の外側から、包装シートの非着色部を通じて視認可能となっている。このように個包装体が構成されることにより、個包装体の状態でも包装シートを通して吸収性物品の本体表示部を視認することができる。また、包装シートの着色部によって、個包装体に内包される吸収性物品の秘匿性を高めることができ、使用者のプライバシーを高めることができる。
【００５２】
包装シートの着色部は、包装シートの基材となるシート（例えばプラスチックフィルム）に印刷を施すことにより形成することができる。印刷は、包装シートの外側面に施しても内側面に施してもよい。包装シートを平面視した状態で、包装シートの印刷が施された部分が、包装シートの着色部となる。印刷は、グラビア印刷、フレキソ印刷、オフセット印刷、インクジェット印刷、スクリーン印刷等の従来公知の印刷方法を用いることができる。一方、包装シートの非着色部は、包装シートの印刷が施されない部分とすることができる。非着色部は、包装シートの基材となるシートの光透過性に応じて、透明または半透明に形成することができる。
【００５３】
包装シートの着色部を構成する色は特に限定されない。着色部は、包装シートの所望するデザインに応じて、色やその配置を任意に設定することができる。着色部を構成する色は、有彩色であっても無彩色であってもよい。なお、着色部は少なくとも一部が白以外の色から構成されることが好ましく、これにより個包装体の意匠性を高めることができる。
【００５４】
非着色部は、例えば全光線透過率が７０％以上であることが好ましく、７５％以上がより好ましく、８０％以上がさらに好ましく、８５％以上がさらにより好ましい。非着色部はまた、ヘーズが１３％以下であることが好ましく、１０％以下がより好ましく、８％以下がさらに好ましく、６％以下がさらにより好ましい。全光線透過率は、ＪＩＳ  Ｋ  ７３７５：２００８に基づき測定することができ、ヘーズは、ＪＩＳ  Ｋ  ７１３６：２０００に基づき測定することができる。
【００５５】
非着色部は、個包装体の外面の１％以上５０％以下の面積で設けられることが好ましい。すなわち、吸収性物品が包装シートで包装された個包装体の状態で、包装シートが個包装体の外側に露出する部分の全面積中、非着色部が１％以上５０％以下の面積割合を占めることが好ましい。非着色部を個包装体の外面の１％以上の面積で設けることにより、包装シートの非着色部を通して、吸収性物品の本体表示部を認識しやすくなる。一方、非着色部を個包装体の外面の５０％以下の面積で設けることにより、包装シートによって内包される吸収性物品の秘匿性を高めることができる。非着色部は、個包装体の外面の２％以上の面積で設けられることがより好ましく、３％以上がさらに好ましく、また３３％以下がより好ましく、２５％以下がさらに好ましい。
【００５６】
非着色部は、個包装体の外面のいずれの箇所に設けられてもよい。非着色部は、個包装体の平面部分に設けられてもよく、折り目部分に沿って設けられてもよく、平面部分と折り目部分に跨がって設けられてもよい。例えば、非着色部が個包装体の折り目部分に設けられ、かつ本体表示部が個包装体の折り目部分に設けられていれば、個包装体を複数重ねた状態で、その側面から本体表示部を視認可能となる。
【００５７】
非着色部は、包装シートに内包される吸収性物品の吸収容量の区分に関わらず、共通した配置で設けられることが好ましい。このように非着色部を設けることにより、様々な吸収容量を有するシリーズとして、吸収性物品の個包装体の統一感を出すことができる。
【００５８】
個包装体を外側から見て本体表示部がより目立つようにする点から、本体表示部は、包装シートの着色部と色相角度が３０°以上異なる色で表示されていることが好ましく、４５°以上がより好ましく、６０°以上がさらに好ましい。
【００５９】
本体表示部の色は、包装シートの着色部の色よりも高い彩度で表示されていることも好ましい。この場合も、個包装体を外側から見て本体表示部を目立たせることができる。本体表示部と包装シートの着色部の色との彩度ΔＣ*の差（最小値）は、例えば１０以上であることが好ましく、１５以上がより好ましく、２０以上がさらに好ましい。このように構成された個包装体の一例として、包装シートの着色部を無彩色から構成し、本体表示部を有彩色から構成した個包装体が示される。このとき、包装シートの着色部の無彩色に明度Ｌ*が８０以下（好ましくは明度Ｌ*が６０以下）の灰色または黒色が含まれるようにすることで、例えば男性用の吸収性物品の個包装体を好適に形成することができる。
【００６０】
包装シートには、吸収性物品の吸収容量の区分を表す文字も記号も表示されていないことが好ましい。これにより、使用者以外の人が個包装体を見ても、個包装体の外観から、内包された吸収性物品に関する情報を得ることが難しくなる。
【００６１】
吸収性物品の個包装体の構成例について、図１〜図６を参照して説明する。なお本発明は、図面に示された実施態様に限定されるものではない。なお、図１〜図６には、吸収性物品の吸収容量の区分に応じて異なる色で表示された本体表示部が設けられた構成例が示されている。
【００６２】
図１〜図３には、本発明で用いられる吸収性物品の一例を示し、吸収性物品として軽失禁パッドが示されている。図１は吸収性物品を肌面側から見た平面図を表し、図２は図１に示した吸収性物品を非肌面側から見た平面図を表し、図３は図１と図２に示した吸収性物品のＩＩＩ−ＩＩＩ断面図を表す。図面では、矢印ｘが幅方向、矢印ｙが長手方向を表し、矢印ｘ，ｙにより形成される面に対して垂直方向が厚み方向ｚを表す。
【００６３】
図１〜図３に示した吸収性物品１１は、トップシート１２とバックシート１３とこれらの間に配された吸収体１４とを有する。吸収性物品１１では、バックシート１３と吸収体１４との間に台紙１５が設けられており、台紙１５により吸収性物品１１の形状保持性を向上させることができる。台紙１５は、クレープ紙や不織布から構成することができる。なお、台紙１５は設けなくてもよい。吸収性物品１１は、長手方向ｙを着用者の股間の前後方向に合わせ、幅方向ｘを着用者の左右方向に合わせて着用する。
【００６４】
トップシート１２の幅方向ｘの両側には長手方向ｙに延在するサイドシート１６が設けられ、サイドシート１６により尿等の防漏壁となる立ち上がりフラップ１７が形成されることが好ましい。サイドシート１６には、幅方向ｘの内方に起立用弾性部材１８が設けられている。吸収性物品１１の使用時には、起立用弾性部材１８の収縮力によりサイドシート１６の内方部分が着用者の肌に向かって立ち上がりフラップ１７が形成され、これにより尿等の横漏れが防止される。
【００６５】
バックシート１３には、吸収性物品１１の吸収容量の区分に応じて異なる色で表示された本体表示部２０が設けられている。図２では、吸収性物品１１の外側面に、幅方向ｘに延びる帯状の本体表示部２０が設けられている。
【００６６】
バックシート１３の外側面には粘着部１９が設けられることが好ましい。粘着部１９により、吸収性物品１１をパンツ等の肌面側に好適に取り付けることができる。粘着部１９は、後述する包装シート２２と剥離可能に接合されることが好ましい。
【００６７】
図４には、図１〜図３に示した吸収性物品を包装シートで包装して個包装体に形成する方法の一例を示した。図４（ａ）には包装前の吸収性物品と包装シートが示され、図４（ｂ）には吸収性物品の個包装体が示されている。
【００６８】
個包装体２１は、吸収性物品１１が包装シート２２で包装されて形成されている。図４では、個包装体２１は、吸収性物品１１が包装シート２２とともに折り目Ｆ１，Ｆ２で折り返されることにより形成されている。詳細には、個包装体２１は、吸収性物品１１の外側面の少なくとも一部が包装シート２２で覆われ、吸収性物品１１が包装シート２２とともに幅方向ｘに延びる折り目Ｆ１，Ｆ２で折り返され、その結果、吸収性物品１１が長手方向ｙに３つ折りに折り畳まれている。この際、包装シート２２は、吸収性物品１１のバックシート１３に設けられた粘着部１９と剥離可能に接合していることが好ましい。
【００６９】
包装シート２２は、着色部２２Ａと非着色部２２Ｂを有する。図４では、包装シート２２の着色部２２Ａにチェック柄の模様が付されている。一方、包装シート２２の非着色部２２Ｂは透明または半透明に形成されている。包装シート２２の非着色部２２Ｂは吸収性物品１１の本体表示部２０と重なって設けられ、本体表示部２０は、個包装体２１の外側から、包装シート２２の非着色部２２Ｂを通して視認可能となっている。このように個包装体２１を構成することにより、個包装体２１とそこに内包される吸収性物品１１とを容易に関連付けることができる。また、吸収性物品１１の本体表示部２０を直接または包装シート２２を通して視認することにより、吸収性物品１１の吸収容量の区分を判別することができる。
【００７０】
個包装体２１は、包装シート２２の幅方向ｘの両端部が封止部２４で封止されることが好ましい。封止部２４は、接着剤、熱溶着、超音波溶着等の公知の接合手段により形成することができる。
【００７１】
個包装体２１には、包装シート２２に、包装シート２２の一部と他部とを繋いで個包装体２１の包装状態を維持する封止テープ２３が設けられることが好ましい。図４では、封止テープ２３が、包装シート２２の長手方向ｙの端部と、包装シート２２が折り畳まれた状態で、前記端部と重ねられた部分の近傍とを繋ぐように設けられている。
【００７２】
図５および図６には、吸収性物品の個包装体の他の例を示した。図５に示した個包装体２１は、吸収性物品１１の外側面に長手方向に延びる帯状の本体表示部２０が設けられ、当該帯状の本体表示部２０が個包装体２１の外側から視認可能となるように、包装シート２２にも長手方向に延びる帯状の非着色部２２Ｂが設けられている。一方、包装シート２２の着色部２２Ａは無彩色の灰色または黒色で着色されている。図５に示した個包装体２１は、シンプルなデザインで構成され、内包される吸収性物品１１の秘匿性に優れ、男性用の吸収性物品の個包装体に好適に適用することができる。
【００７３】
図６に示した個包装体２１は、吸収性物品１１の外側面に設けられた粘着部１９が着色され、本体表示部２０として機能する。包装シート２２には四角形の非着色部２２Ｂが設けられ、当該非着色部２２Ｂを通じて粘着部１９の色すなわち本体表示部２０が視認可能となっている。
【００７４】
次に、本発明の吸収性物品包装体について説明する。本発明の吸収性物品包装体は、上記に説明した吸収性物品の個包装体が容器内に収容されたものである。容器は、吸収性物品の個包装体を収容できるものであれば特に限定されず、例えば、プラスチックフィルム製の袋、紙製の袋、プラスチック製の硬質容器、段ボール箱等が挙げられる。
【００７５】
容器内には、個包装体が複数収容されることが好ましい。また、個包装体が複数積み重ねられて束となった状態で、容器内に収容されることが好ましい。容器に収容される個包装体の束は１つのみでも、２つ以上でもよい。後者の場合、個包装体の束は、容器内で上下に複数段積まれてもよく、左右に並んで配置されてもよく、またこれらの組み合わせでもよい。
【００７６】
容器は、開封可能部を有することが好ましい、容器の開封可能部を開けることで、容器内に収容された個包装体を取り出すことができる。開封可能部としては、例えば、ミシン目、蓋、包装容器の取り出し口を塞ぐ粘着テープ等が挙げられる。
【００７７】
容器には、容器に収容される吸収性物品の吸収容量の区分を表す容器表示部が設けられることが好ましい。容器表示部には、容器に収容される吸収性物品の吸収容量の区分を表す文字または記号が表示されることが好ましい。吸収性物品の吸収容量の区分を表す文字または記号の具体例は、上記の本体表示部の当該説明が参照される。
【００７８】
容器表示部は、所定領域を有する背景部に、容器に収容される吸収性物品の吸収容量の区分を表す文字または記号が表示されるものであってもよい。この場合、吸収性物品の吸収容量の区分を表す文字または記号が背景部上に表示される、あるいは換言すれば、吸収性物品の吸収容量の区分を表す文字または記号が背景部に囲まれて表示される。背景部は、容器の外面の一部の所定領域に設けられ、容器の外面の主要部の柄（模様や地）とは区分して設けられることが好ましい。背景部を含む容器表示部は、容器の外面の面積の４０％以下の面積で設けられることが好ましく、３０％以下がより好ましく、２０％以下がさらに好ましく、また１％以上が好ましく、３％以上がより好ましい。背景部は、容器表示部やそこに示される文字や記号が目立つようにするために、無地であることが好ましい。
【００７９】
容器表示部は、吸収性物品包装体（容器）の前面に少なくとも設けられることが好ましい。吸収性物品包装体の前面とは、容器内に収容される吸収性物品の属性（例えば製品名）が最も分かりやすく表示される面を意味し、通常は吸収性物品の製品名やロゴマークが吸収性物品包装体の容器の外面の中で最も大きく表示される面となる。吸収性物品の製品名やロゴマークとしては、代表的には商標が挙げられる。容器表示部は、吸収性物品包装体の前面ととともにそれ以外の面（特に吸収性物品包装体の上面）にも設けられることが好ましく、吸収性物品の前面からそれ以外の面（特に吸収性物品包装体の上面）にかけて延在して設けられることがより好ましい。これにより、容器表示部がより目立つように、吸収性物品包装体に容器表示部を設けることができる。
【００８０】
吸収性物品包装体の構成例について、図７および図８を参照して説明する。図７には、吸収性物品包装体の斜視図を示し、図８には、吸収性物品包装体の一部切欠き斜視図を示した。図８には、図４（ｂ）に示した個包装体が容器内に収容された吸収性物品包装体の構成例が示されている。
【００８１】
吸収性物品包装体３１は、吸収性物品の個包装体２１が容器３２内に収容されて構成される。図７では、開封前の吸収性物品包装体３１が示されており、容器３２のみが外から目視可能となっており、吸収性物品の個包装体２１は容器３２内に収容されて目視できない状態となっている。
【００８２】
図７および図８に示した吸収性物品包装体３１では、容器３２の前面に吸収性物品の製品名「ＡＢＣ」が表示されたロゴマーク３６が表示されており、容器３２にはさらに容器表示部３３が設けられている。容器表示部３３は、背景部３５と、容器３２内に個包装体として収容された吸収性物品の吸収容量の区分を表す「２５ｃｃ  少量用」と表示された文字３４から構成されている。吸収性物品の吸収容量の区分を表す文字３４は、例えば、「２５ｃｃ」との文字列のみが表示されていてもよく、「少量用」との文字列のみが表示されていてもよく、その他の吸収容量の区分を表す文字列が表示されていてもよい。容器表示部３３は、文字３４の代わりに、吸収性物品の吸収容量の区分を表す記号が表示されるものであってもよく、また背景部３５がないものであってもよい。図７および図８では、容器表示部３３が容器３２の前面から上面にかけて設けられている。
【００８３】
吸収性物品包装体は、本体表示部が吸収性物品の吸収容量の区分に応じて異なる色で表示され、容器表示部と本体表示部とが同じ色で表示されることが好ましい。図８を参照して説明すると、吸収性物品包装体３１は、容器３２に設けられた容器表示部３３の背景部３５または文字３４または記号と、個包装体２１に内包された吸収性物品の本体表示部２０とが同じ色で表示されるとともに、吸収性物品の吸収容量の区分に応じて異なる色で表示されることが好ましい。本体表示部２０と同じ色で表示される容器表示部３３は、背景部３５であってもよく、文字３４および／または記号であってもよい。
【００８４】
吸収性物品包装体は、上記のように構成されることにより、使用者が吸収性物品の個包装体を容器から出した場合でも、個包装体の本体表示部の色を容器表示部の色と照合することで、個包装体に内包された吸収性物品の吸収容量の区分を認識することができる。また、異なる吸収性能を有する個包装体を複数携行するような場合でも、本体表示部の色によって、各個包装体に内包された吸収性物品の吸収容量の区分を認識することができる。
【００８５】
なお、同じ色とは、人間の目で見て概ね同じ色と認識できるものであればよく、例えば色差ΔＥ*ａｂが２０以下であることが好ましく、１５以下がより好ましく、１０以下がさらに好ましい。異なる色としては、例えば色差ΔＥ*ａｂが３０以上であることが好ましく、４０以上がより好ましい。
【００８６】
容器表示部の文字と本体表示部とが同じ色で表示される場合は、容器表示部に表示された文字の全てが本体表示部と同じ色で表示されてもよく、一部の文字のみが本体表示部と同じ色で表示されてもよい。後者の場合は、意味をなすまとまった文字列が、本体表示部と同じ色で表示されることが好ましい。例えば図７や図８では、「２５ｃｃ  少量用」の文字列全てが本体表示部と同じ色で表示されてもよく、「２５ｃｃ」または「少量用」の文字列のみが本体表示部と同じ色で表示されてもよい。
【００８７】
吸収性物品包装体は、容器表示部の背景部と本体表示部とが同じ色で表示されていることが好ましい。背景部は文字や記号よりも広い面積で表示することができるため、背景部が本体表示部と同じ色で表示されていれば、容器表示部と本体表示部の色との関連性をより認識しやすくなる。
【００８８】
上記に説明した色差ΔＥ*ａｂは、Ｌ*ａ*ｂ*表色系のＬ*とａ*とｂ*の値から、次式により求めることができる：ΔＥ*ａｂ＝［（ΔＬ*）2＋（Δａ*）2＋（Δｂ*）2］1/2。彩度差ΔＣ*は、Ｌ*ａ*ｂ*表色系のａ*とｂ*の値から、次式により求めることができる：ΔＣ*＝［（Δａ*）2＋（Δｂ*）2］1/2。色相角度ｈは、Ｌ*ａ*ｂ*表色系のａ*とｂ*の値から、次式により求めることができる：ｈ＝ｔａｎ-1［（ｂ*）／（ａ*）］。Ｌ*ａ*ｂ*表色系による色表示（Ｌ*、ａ*、ｂ*）は、例えば、コニカミノルタ社製の蛍光分光濃度計ＦＤ−７により測定することができる。
【００８９】
本発明はまた、吸収性物品の個包装体を複数種有する個包装体セットであって、２種以上の異なる吸収容量の吸収性物品の個包装体を含む個包装体セットや、吸収性物品包装体を複数種有する吸収性物品包装体セットであって、２種以上の異なる吸収容量の吸収性物品包装体を含む吸収性物品包装体セットも提供する。
【００９０】
本発明の個包装体セットによれば、個包装体とそこに内包された吸収性物品との関連付けを容易に行うことができるとともに、吸収性物品の外側面に設けられた本体表示部を直接または包装シートを通して視認することにより、吸収性物品の吸収容量の区分を認識することができる。そのため、吸収容量の異なる２種以上の吸収性物品の個包装体が混在していても、使用者は適切に個包装体とそこに内包された吸収性物品との関連付けを行うことができる。
【００９１】
本発明の吸収性物品包装体セットによれば、吸収性物品包装体の容器から個包装体を取り出しても、吸収性物品包装体の容器表示部と個包装体の本体表示部とを関連付けることにより、個包装体に内包された吸収性物品の吸収容量に関する情報を得ることができる。そのため、吸収容量の異なる２種以上の吸収性物品の個包装体が混在していても、使用者は容易に適切な個包装体を選ぶことができる。
【符号の説明】
【００９２】
１１：吸収性物品
１２：トップシート
１３：バックシート
１４：吸収体
１９：粘着部
２０：本体表示部
２１：個包装体
２２：包装シート、２２Ａ：着色部、２２Ｂ：非着色部
２３：封止テープ
３１：吸収性物品包装体
３２：容器
３３：容器表示部
３４：文字（または記号）
３５：背景部
【図１】
2020074928.tif 000003
【図２】
2020074928.tif 000004
【図３】
2020074928.tif 000005
【図４】
2020074928.tif 000006
【図５】
2020074928.tif 000007
【図６】
2020074928.tif 000008
【図７】
2020074928.tif 000009
【図８】
2020074928.tif 000010